(57)【要約】【課題】上位の交換装置側から下位のアナログ電話機の機種を識別できる、アナログ電話機の機種認識方法、及びアナログ電話回線網を提供する。【解決手段】公衆回線網15に接続されている交換装置20と、交換装置に通話回線92、及び接続確認回線94で接続されているアナログ電話機60とを備えるアナログ電話回線網10におけるアナログ電話機の機種認識は、当該交換装置で実施される。公衆回線網15及びアナログ電話機のいずれか一方からの通話要求に応じて通話回線を通話可能として、然る後、当該通話回線に接続されているアナログ電話機が機種識別可能であるか否かの確認を行う。この確認は、通話要求に応じてアナログ電話機内で、抵抗成分82により接続された接続確認回線94に電位差を与え、この電位差に起因して接続確認回線を流れる電流が流れるか否かで行われる。さらに、接続確認回線94を電流が流れた場合は、当該電流に基づいて、アナログ電話機の機種識別を行う。【選択図】図１ 
2005277721.tif 000002
【特許請求の範囲】
【請求項１】
公衆回線網に接続されている交換装置と、該交換装置に通話回線、並びに第１及び第２確認線を備える接続確認回線で接続されているアナログ電話機とを備えるアナログ電話回線網におけるアナログ電話機の機種認識を当該交換装置において行うにあたり、
前記公衆回線網及び前記アナログ電話機のいずれか一方からの通話要求に応じて前記通話回線を通話可能とし、然る後、該通話回線に接続されている前記アナログ電話機が機種識別可能であるか否かの確認を行い、
該確認は、前記通話要求に応じて、前記アナログ電話機内で互いに抵抗成分により接続された前記第１及び第２確認線の間に電位差を与え、該電位差に起因して前記接続確認回線を流れる電流を測定することで行い、及び、
該電流が流れた場合は、当該電流に基づいて、前記アナログ電話機の機種識別を行う
ことを特徴とするアナログ電話機の機種認識方法。
【請求項２】
公衆回線網に接続されている交換装置と、該交換装置に通話回線、並びに第１及び第２確認線を備える接続確認回線で接続されるアナログ電話機とを備えるアナログ電話回線網におけるアナログ電話機の機種認識を当該交換装置において行うにあたり、
前記アナログ電話機が機種識別可能であるか否かの確認は、前記交換装置と前記アナログ電話機とが前記通話回線及び前記接続確認回線で接続されて以降、前記アナログ電話機内で互いに抵抗成分により接続された前記第１及び第２確認線の間に電位差を与え、該電位差に起因して前記接続確認回線を流れる電流を測定することで行い、及び、
該電流が流れた場合は、当該電流に基づいて、前記アナログ電話機の機種識別を行う
ことを特徴とするアナログ電話機の機種認識方法。
【請求項３】
公衆回線網に接続されている交換装置と、該交換装置に通話回線、並びに第１及び第２確認線を備える接続確認回線で接続されるアナログ電話機とを備えるアナログ電話回線網におけるアナログ電話機の機種認識を当該交換装置において行うにあたり、
前記アナログ電話機が機種識別可能であるか否かの確認は、前記交換装置と前記アナログ電話機とが前記通話回線及び前記接続確認回線で接続されて以降、前記アナログ電話機内で互いに抵抗成分により接続された前記第１及び第２確認線の間に電位差を与え、該電位差に起因して前記接続確認回線を流れる電流を測定することで行い、及び、
該電流が流れた場合は、前記第１及び第２確認線間に前記電位差が与えられたことに応答してアナログ電話機内で生成された、アナログ電話機の機種に応じて定められたパルス数を備えるパルス信号を通話回線を介して受け取り、
前記パルス数から前記アナログ電話機の機種識別を行う
ことを特徴とするアナログ電話機の機種認識方法。
【請求項４】
前記アナログ電話機に、予め接続開閉部を備えておいて、前記第１及び第２確認線間に前記電位差が与えられたことに応答して前記接続開閉部を始動させることにより、前記接続確認回線の接続及び切断を一定間隔で機種に応じて定められた回数だけ繰り返して、前記電流を前記回数に応じたパルス数を備えるパルス電流とし、
前記交換装置は、前記パルス数から前記アナログ電話機の機種識別を行う
ことを特徴とする請求項１又は２に記載のアナログ電話機の機種認識方法。
【請求項５】
前記抵抗成分を、前記アナログ電話機の機種に応じた特定の抵抗値に設定しておいて、
前記電流の測定された電流値に基づいて、前記アナログ電話機の機種識別を行う
ことを特徴とする請求項１又は２に記載のアナログ電話機の機種認識方法。
【請求項６】
公衆回線網に接続されている交換装置と、該交換装置に通話回線、並びに第１及び第２確認線を備える接続確認回線で接続されているアナログ電話機とを備えるアナログ電話回線網であって、
前記アナログ電話機は、前記接続確認回線に接続されている電圧監視部を備えており、
前記第１及び第２確認線は、前記電圧監視部内で抵抗成分により互いに接続され、
前記交換装置は、伝送制御部及び電源監視部を備え、
前記伝送制御部は、前記公衆回線網及び前記アナログ電話機のいずれか一方からの通話要求に応じて通話回線接続を行う通話回線接続手段と、前記電源監視部に対し、通話回線接続を行った前記アナログ電話機が機種識別可能であるかどうかを確認するための接続確認開始信号を送り、さらに、前記電源監視部からの測定電流信号に応じて、前記アナログ電話機の機種を識別する機種識別手段と、前記アナログ電話機の機種に応じて、伝送特性を調整する伝送特性調整手段とを備え、
前記電源監視部は、前記接続確認開始信号に応じて前記第１及び第２確認線に電位差を与える給電部と、前記接続確認回線を流れる電流の電流値を測定する電流監視部とを備え、
該電流監視部は、測定された前記電流値から前記測定電流信号を生成する
ことを特徴とするアナログ電話回線網。
【請求項７】
前記電圧監視部は、前記抵抗成分に並列に接続された電圧測定部を備えることを特徴とする請求項６に記載のアナログ電話回線網。
【請求項８】
前記電圧監視部は、前記抵抗成分に直列に接続された接続開閉部を備えることを特徴とする請求項６又は７に記載のアナログ電話回線網。
【発明の詳細な説明】
【技術分野】
【０００１】
この発明は、アナログ電話機の機種認識方法、及びアナログ電話回線網に関するものである。
【背景技術】
【０００２】
従来の、アナログ電話機を配下に収容するアナログ電話回線網では、それぞれのアナログ電話機及びアナログ電話機に接続されている交換装置が、一定の規格を満足していることを前提に接続が可能となっている。
【０００３】
アナログ電話機は、公衆回線網に接続して使用することを目的としているため、アナログ電話機側では、公衆回線網に接続するためのインタフェース条件などの規格を満足するように設計されている。また、アナログ電話機を配下に収容するアナログ電話回線網に用いられる交換装置には、例えば、私設構内交換機や、公衆回線網がＩＳＤＮ回線（Ｉｎｔｅｇｒａｔｅｄ  Ｓｅｒｖｉｃｅｓ  Ｄｉｇｉｔａｌ  Ｎｅｔｗｏｒｋ）の場合は、ターミナル・アダプタ（ＴＡ：Ｔｅｒｍｉｎａｌ  Ａｄａｐｔｏｒ）があるが、公衆回線網に接続するための規格を満たしたアナログ電話機が接続できるように設計されている。
【発明の開示】
【発明が解決しようとする課題】
【０００４】
しかしながら、一定の規格を満たすように設計されているものの、アナログ電話機及び交換装置は、ともに様々な電気的特性などの伝送特性を有している。このため、アナログ電話機と交換装置との組み合わせによっては、両者の伝送特性が異なることにより、良好な伝送性能が得られない場合がある。
【０００５】
公衆回線網に接続するための規格は、アナログ電話機を想定して決められている。この規格に従った一般のアナログ回線で通話を行う場合は、良好な伝送性能が得られない場合であっても、通話には、ほとんど問題がない。しかしながら、ＶｏＩＰ（Ｖｏｉｃｅ  ｏｖｅｒ  Ｉｎｔｅｒｎｅｔ  Ｐｒｏｔｏｃｏｌ）を利用する特殊回線などで通話を行う場合には、良好な伝送特性が得られないと、音声レベルが小さくなったり、エコーが発生したりするなど通話に大きく影響を与える。
【０００６】
このような特殊回線においても、良好な伝送性能が得られるように、アナログ電話機又は交換装置の伝送特性を調整することが望ましい。しかし、通常は、交換装置に電気的特性などの伝送特性を調整する機構を持たせたとしても、交換装置が、アナログ電話機の種別を識別する機能を持たないため、伝送特性を調整することができない。
【０００７】
そこで、この発明は、交換装置側からアナログ電話機の機種を識別できる、アナログ電話機の機種認識方法、及びアナログ電話回線網を提供することを目的とする。
【課題を解決するための手段】
【０００８】
上述した目的を達成するために、この発明の、公衆回線網に接続されている交換装置と、交換装置に通話回線、並びに第１及び第２確認線を備える接続確認回線で接続されているアナログ電話機とを備えるアナログ電話回線網における、アナログ電話機の機種認識方法は、当該交換装置で実施される。
【０００９】
公衆回線網及びアナログ電話機のいずれか一方からの通話要求に応じて通話回線を通話可能とした後、当該通話回線で交換装置に接続されたアナログ電話機が機種識別可能であるか否かの確認を行う。この確認は、通話要求に応じてアナログ電話機内で、抵抗成分により接続された第１及び第２確認線の間に電位差を与え、この電位差に起因して接続確認回線を流れる電流を測定することで行う。
【００１０】
さらに、接続確認回線を電流が流れた場合は、当該電流に基づいて、アナログ電話機の機種識別を行う。
【００１１】
上述した目的を達成するために、この発明の、公衆回線網に接続されている交換装置と、交換装置に通話回線、並びに第１及び第２確認線を備える接続確認回線で接続されるアナログ電話機とを備えるアナログ電話回線網におけるアナログ電話機の機種認識方法は、当該交換装置において実施される。
【００１２】
アナログ電話機が機種識別可能であるか否かの確認は、交換装置とアナログ電話機とが通話回線及び接続確認回線で接続されて以降、アナログ電話機内で互いに抵抗成分により接続された第１及び第２確認線の間に電位差を与え、この電位差に起因して接続確認回線を流れる電流を測定することで行う。
【００１３】
さらに、接続確認回線を電流が流れた場合は、当該電流に基づいて、アナログ電話機の機種識別を行う。
【００１４】
この発明のアナログ電話機の機種認識方法の他の好適実施例によれば、接続確認回線を電流が流れた場合は、第１及び第２確認線間に電位差が与えられたことに応答してアナログ電話機内で生成された、アナログ電話機の機種に応じて定められたパルス数を備えるパルス信号を通話回線を介して受け取る。交換装置は、パルス信号が備えるパルス数からアナログ電話機の機種識別を行う。
【００１５】
この発明のアナログ電話機の機種認識方法の好適実施例によれば、アナログ電話機に、予め接続開閉部を備えておくのが良い。
【００１６】
第１及び第２確認線間に電位差が与えられたことに応答して接続開閉部を始動させることにより、接続確認回線の接続及び切断を一定間隔で機種に応じて定められた回数だけ繰り返して、接続確認回線を流れる電流を、当該繰り返し回数に応じたパルス数を備えるパルス電流とする。交換装置は、パルス電流が備えるパルス数からアナログ電話機の機種識別を行う。
【００１７】
また、この発明のアナログ電話機の機種認識方法の他の好適実施例によれば、アナログ電話機内の抵抗成分を、アナログ電話機の機種に応じた特定の抵抗値に設定しておいて、接続確認回線を流れる電流の測定された電流値から、アナログ電話機の機種識別を行うのが良い。
【００１８】
上述した目的を達成するために、この発明のアナログ電話回線網は、公衆回線網に接続されている交換装置と、交換装置に通話回線、並びに第１及び第２確認線を備える接続確認回線で接続されているアナログ電話機とを備えている。
【００１９】
アナログ電話機は、接続確認回線に接続されている電圧監視部を備えていて、第１確認線と第２確認線は、電圧監視部内で抵抗成分により互いに接続されている。
【００２０】
交換装置は、伝送制御部及び電源監視部を備えている。伝送制御部は、通話回線接続手段と、機種識別手段と、伝送特性調整手段とを備えている。通話回線接続手段は、公衆回線網及びアナログ電話機のいずれか一方からの通話要求に応じて通話回線接続を行う。機種識別手段は、電源監視部に対し、通話回線接続を行ったアナログ電話機が機種識別可能であるかどうかを確認するための接続確認開始信号を送り、さらに、電源監視部からの測定電流信号に応じて、アナログ電話機の機種を識別する。伝送特性調整手段は、アナログ電話機の機種に応じて伝送特性を調整する。
【００２１】
電源監視部は、給電開始信号に応じて第１及び第２確認線に電位差を与える給電部と、接続確認回線を流れる電流の電流値を測定する電流監視部とを備え、電流監視部は、測定された電流の値から測定電流信号を生成する。
【００２２】
上述したアナログ電話回線網の実施にあたり、好ましくは、電圧監視部は、上述の抵抗成分に並列に接続された電圧測定部を備えるのが良い。
【００２３】
さらに、この発明のアナログ電話回線網の好適実施例によれば、電圧監視部は、上述の抵抗成分に直列に接続された接続開閉部を備えるのが良い。
【発明の効果】
【００２４】
この発明のアナログ電話機の機種認識方法によれば、接続確認回線を用いて、機種識別可能であるか確認できる。機種識別可能であれば、アナログ電話機の機種の識別を行い、交換装置側で良好な伝送性能が得られるように、電気的特性などの伝送特性を調整することが可能となる。
【００２５】
交換装置とアナログ電話機を通話可能とした際に、機種識別可能であるか確認し、さらに伝送特性を調整すれば、通話回線の運用中であっても、良好な伝送特性を得ることができる。
【００２６】
また、交換装置とアナログ電話機を機械的に接続した際に、機種識別可能であるか確認し、さらに伝送特性を調整すれば、その後、通常のアナログ電話インタフェースで通話回線を運用することができる。
【００２７】
機種識別を、接続開閉部による、接続及び切断の繰り返しで行う場合、接続開閉部は、通常のアナログ電話機が備える機能手段であり、新たな回路を追加する必要がない。
【００２８】
また、アナログ電話機内の抵抗成分を、予め機種に応じた特定の抵抗値に設定しておくことで、交換装置は、機種識別可能であるか否かの確認のときに測定した電流値に基づいて機種識別を行うことができる。
【００２９】
この発明のアナログ電話回線網によれば、従来のアナログ電話機に比べて、通話回線の他に接続確認回線用のインタフェースと、抵抗成分とを備えるのみで、機種識別を行うことができるアナログ電話回線網が提供できる。
【００３０】
アナログ電話機の電圧監視部が、電圧測定部を備えることで、アナログ電話機の側から、交換装置の機種識別を行うことができる。
【００３１】
また、電圧監視部が、接続開閉部を備えることで、機種識別を行うことができる。この接続開閉部が備える機能は、通常のアナログ電話機が備える機能であり、新たな回路を追加する必要がない。
【発明を実施するための最良の形態】
【００３２】
以下、図を参照して、この発明の実施の形態について説明するが、構成および配置関係についてはこの発明が理解できる程度に概略的に示したものに過ぎない。また、以下、この発明の好適な構成例につき説明するが、各構成の数値的条件などは、単なる好適例にすぎない。従って、この発明は以下の実施の形態に限定されない。
【００３３】
（第１実施形態のアナログ電話回線網）
図１は、アナログ電話回線網の構成を示す概略図である。この発明のアナログ回線網１０は、交換装置２０とアナログ電話機６０とを備えている。交換装置２０は、公衆回線網１５に接続されている。
【００３４】
交換装置２０は、伝送制御部３０、記憶手段４０、伝送インタフェース部４５及び電源監視部５０を備えている。伝送制御部３０は、さらに、通話回線接続手段３２、機種識別手段３４、伝送特性調整手段３６を備えて構成されている。アナログ電話機６０は、通話制御部７０、通話インタフェース部７５及び電圧監視部８０を備えている。
【００３５】
通話回線接続手段３２は、公衆回線網１５及びアナログ電話機６０のいずれか一方からの通話要求に応じて通話回線を接続し、及び通話終了時に通話回線を切断する機能を持つ。通話回線接続手段３２は、例えば、私設構内交換機（ＰＢＸ：Ｐｒｉｖａｔｅ  Ｂｒａｎｃｈ  ｅＸｃｈａｎｇｅ）や、公衆回線網１５がＩＳＤＮ回線（Ｉｎｔｅｇｒａｔｅｄ  Ｓｅｒｖｉｃｅｓ  Ｄｉｇｉｔａｌ  Ｎｅｔｗｏｒｋ）の場合は、ターミナル・アダプタ（ＴＡ：Ｔｅｒｍｉｎａｌ  Ａｄａｐｔｏｒ）が持つ回線の接続及び切断を行う手段で実現される。
【００３６】
機種識別手段３４及び伝送特性調整手段３６は、伝送制御部３０に備えられたコンピュータにおける中央処理装置（ＣＰＵ）の機能手段として実現される。このコンピュータはパーソナルコンピュータなど周知の構成のものを用いれば良く、ここでは、説明を省略する。機種識別手段３４及び伝送特性調整手段３６は、ＣＰＵ内のメモリ又は、ＣＰＵの外部の記憶手段４０などに読み出し自在に書き込まれたプログラムを、ＣＰＵが備える制御手段により読み出して実行することで、所定の動作を行う。
【００３７】
アナログ電話機６０の通話制御部７０は、通話を行う機能、オフフックまたはダイアルによって通話要求を行う機能など、通常のアナログ電話機が備える機能を持つ。
【００３８】
交換装置２０とアナログ電話機６０とは、通話回線９２及び接続確認回線９４で接続されている。通話回線９２として通常の電話回線に使用されている２線ケーブルを用い、接続確認回線９４として２線ケーブルを別途設ける構成とすることができる。また、アナログ電話機６０と交換装置２０の間を４線以上有する、例えば４線ケーブルで接続してもよい。４線ケーブルを用いる場合、４線ケーブルのうちの２線を通話回線９２として使用し、残りの２線を接続確認回線９４として使用することができる。接続確認回線９４に用いられる２線を、それぞれ第１確認線９４ａ及び第２確認線９４ｂと称する。交換装置２０の伝送インタフェース部４５は、通話回線９２を経て、アナログ電話機６０の通話インタフェース部７５に接続されている。
【００３９】
伝送インタフェース部４５は、アナログ電話機６０と通話回線の接続を行う部分で、一般の公衆回線網に接続可能なアナログ電話機と接続可能になっている。なお、この発明のアナログ電話回線網で使用される交換装置２０の伝送インタフェース部４５は、電気的特性などの伝送特性を調整するための可変抵抗や可変容量を備えている。可変抵抗及び可変容量については図示を省略する。通話インタフェース部７５は、アナログ電話機６０を一般の公衆回線網に接続するために、電気的特性などのインタフェース条件を、公衆回線網に接続する際に要求される規格に合わせている。
【００４０】
機種識別手段３４は、通話回線接続手段３２及び伝送インタフェース部４５により、通話回線接続を行ったアナログ電話機６０が機種識別可能であるか否かを確認する機能を有する。機種識別手段３４は、通話回線の接続時に接続確認開始信号１１１を電源監視部５０に送り、及び通話終了時に接続確認終了信号１１５を電源監視部５０に送る。さらに、この機種識別手段３４は、電源監視部５０から測定電流信号１１３を受け取って、アナログ電話機６０が機種識別可能である場合は機種識別を行う。
【００４１】
伝送特性調整手段３６は、機種識別手段３４で、機種識別した結果に応じて、伝送インタフェース部４５の電気的特性などの伝送特性などを調整する。これらの調整は、例えば、伝送インタフェース部４５が備える可変抵抗の抵抗値や可変容量の容量値を変更することで行うことができる。また、伝送特性調整手段３６が、例えばＤＳＰ（Ｄｉｇｉｔａｌ  Ｓｉｇｎａｌ  Ｐｒｏｃｅｓｓｏｒ）を搭載している場合は、ＤＳＰでの調整も可能となる。
【００４２】
記憶手段４０には、予め、測定電流信号１１３をアナログ電話機の機種に対応付ける参照データが記録されている。記憶手段４０は、ＲＡＭ、ＲＯＭなど、周知の記憶装置を用いることができる。機種識別手段３４は、記憶手段４０から参照データを読み出して、測定電流信号１１３からアナログ電話機６０の機種を識別する。
【００４３】
電源監視部５０は、給電部５２と電流監視部５４とを備えていて、第１確認線９４ａ及び第２確認線９４ｂを備える接続確認回線９４により、アナログ電話機６０の電圧監視部８０に接続されている。
【００４４】
給電部５２は、直流電源５３を備え、機種識別手段３４からの接続確認開始信号１１１に応じて接続確認回線９４に給電することができる。接続確認回線９４への給電は、直流電源５３により、第１確認線９４ａ及び第２確認線９４ｂに電位差を与えることで行われる。また、給電部５２は、接続確認終了信号１１５に応じて接続確認回線９４への給電を終了する。給電部５２としては、電気信号である接続確認開始信号１１１又は接続確認終了信号１１５の入力に応じて、それぞれ給電の開始及び終了を行う機能を持つ周知の直流電源を用いれば良い。
【００４５】
電流監視部５４は、接続確認回線９４に直列に接続され、接続確認回線９４を流れる電流を測定する。ここでは、電流監視部５４は、第１確認線９４ａに接続されているものとする。電流監視部５４は、測定された電流の値に基づいて、電気信号である測定電流信号１１３を生成し、伝送制御部３０の機種識別手段３４に送る。電流監視部５４として、測定された電流値に基づく電気信号を出力することができる周知の電流計を用いることができる。
【００４６】
アナログ電話機６０の電圧監視部８０は、抵抗成分８２を備え、第１確認線９４ａ及び第２確認線９４ｂは、抵抗成分８２で接続されている。
【００４７】
交換装置２０の給電部５２により、第１確認線９４ａ及び第２確認線９４ｂの間に電位差が与えられると、この電位差に起因して、直流電流１５１が第１確認線９４ａ及び第２確認線９４ｂ、すなわち接続確認回線９４を流れる。アナログ電話機６０が電圧監視部８０を備えない構成である場合は、電流が流れないため、機種識別手段３４では、電流監視部５４から、電流値がゼロであることを示す測定電流信号１１３を受け取り、この場合、通話回線接続を行ったアナログ電話機が機種識別不能と判断できる。一方、機種識別手段３４が、電流値がゼロでないことを示す測定電流信号１１３を受け取った場合、アナログ電話機の機種識別が可能と判断できる。
【００４８】
電圧監視部８０は、抵抗成分８２に並列に接続された電圧測定部８４を備えている。電圧測定部８４は、測定された電圧を電気信号として出力できる周知の電圧計で構成される。電圧測定部８４は、抵抗成分８２の両端の電位差を測定する。電圧測定部８４は、測定された電位差に基づいて、電気信号として、測定電圧信号１２１を通話制御部７０へ送る。通話制御部７０は、測定電圧信号１２１が示す抵抗成分８２の両端に生じた電位差により、接続されている交換装置２０が機種識別する機能を備えた装置であることを認識する。通話制御部７０は、交換装置２０が機種識別する機能を備えた装置であることを認識すると、電圧監視部８０内に、抵抗成分８２に直列に接続されるように設けられた接続開閉部８６に対して接続開閉信号１２３を送る。
【００４９】
接続開閉部８６は、接続及び切断を一定の時間間隔、例えば１秒間隔で複数回繰り返して行う機能を備えている。この繰り返しの回数は、アナログ電話機の機種毎に予め定めて設定しておく。接続開閉部８６が接続確認回線９４の接続及び切断を繰り返し行うので接続確認回線９４を流れる電流は、パルス電流１５３となる。
【００５０】
アナログ電話機６０の機種毎に定められた繰り返しの回数を参照データとして記憶手段４０に記録しておけば、機種識別部３４は、測定電流信号１１３が示す繰り返し回数と参照データとから、アナログ電話機６０の機種を識別することができる。電流監視部５４からの測定電流信号１１３は、接続開閉部８６での繰り返し回数を情報として含んでいる。
【００５１】
なお、図１中では、接続開閉部８６が、通話制御部７０と別の電圧監視部８０内に備えられる構成を示しているが、この接続及び切断を行う機能は、通常のアナログ電話機のインタフェース部に備えられているものであり、特に、新たな回路を設ける必要はない。
【００５２】
また、アナログ電話機６０の通話インタフェース部７５に、電気的特性などの伝送特性を調整するための、可変抵抗及び可変容量を設けても良い。可変抵抗及び可変容量を設ける構成とすることで、例えば、給電を間欠的に行ったり、給電部が与える電位差を変化させたりするなど、接続確認回線９４を利用して、交換装置２０からの信号に応じて、アナログ電話機側の電気的特性などの伝送特性を調整することが可能となる。
【００５３】
図１では、アナログ電話回線網として、交換装置とアナログ電話機とを１つずつ備える例について示したが、１つの交換装置に複数のアナログ電話機を接続する構成としても良い。また、伝送インタフェース部４５は、伝送特性調整手段３６からの指令に応じて音声レベルを変更するなどできる機能を備える構成としても良い。
【００５４】
（第１実施形態のアナログ電話回線網における機種認識方法）
図２及び図３を参照して、アナログ電話機の機種認識方法について説明する。図２は、交換装置の処理フローの例を示す図である。図３は、アナログ電話回線網の機種識別シーケンスの例を示す図である。アナログ電話回線網の構成については、図１を合せて参照する。
【００５５】
ステップ１０（以下、ステップをＳで表す。）では、交換装置２０の伝送制御部３０が、公衆回線網１５及びアナログ電話機６０のいずれか一方からの通話要求を受信する。ここでは、アナログ電話機６０から通話要求１０１があった場合について説明する。例えば、アナログ電話機６０の通話制御部７０は、オフフックまたはダイアルによって、交換装置２０に対して通話要求１０１を送る。
【００５６】
Ｓ２０では、伝送制御部３０の通話回線接続手段３２が、アナログ電話機６０からの通話要求１０１に応じて、アナログ電話機６０と交換装置２０との間の通話回線９２を電気的に接続し通話可能とする。
【００５７】
Ｓ３０では、伝送制御部３０の機種識別手段３４が、Ｓ２０で通話可能となった通話回線に接続されているアナログ電話機６０が、機種識別可能であるか否かの確認を行うため、接続確認開始信号１１１を電源監視部５０に送る。電源監視部５０に設けられている給電部５２は、直流電源５３を備え、接続確認開始信号１１１に応じて、接続確認回線９４に給電する。接続確認回線９４への給電は、第１確認線９４ａ及び第２確認線９４ｂの間に電位差を与えることで行う。第１確認線９４ａ及び第２確認線９４ｂはアナログ電話機６０の電圧監視部８０内で、抵抗成分８２により互いに接続されているので、第１確認線９４ａ及び第２確認線９４ｂ、すなわち、接続確認回線９４には、直流電流１５１が流れる。
【００５８】
Ｓ４０では電流の監視を行う。電流の監視は、第１確認線９４ａに直列に設けられた電流監視部５４により接続確認回線９４を流れる直流電流１５１を測定することで行う。電流監視部５４は、測定された直流電流１５１に基づく、測定電流信号１１３を伝送制御部３０の機種識別手段３４に送る。機種識別手段３４は、電流値がゼロでないことを示す測定電流信号１１３を受け取った場合は、アナログ電話機６０が機種識別を行うことができる機種であると判断し、Ｓ５０及びＳ６０の機種識別、並びにＳ７０の伝送特性の調整を行ったのち、Ｓ８０の通話を行う。一方、機種識別手段３４が、電流値がゼロであることを示す測定電流信号１１３を受け取った場合は、アナログ電話機６０が機種識別を行うことができない機種であると判断し、Ｓ５０及びＳ６０の機種識別、並びにＳ７０の伝送特性の調整を行うことなくＳ８０の通話を行う。
【００５９】
Ｓ５０では、伝送制御部３０の機種識別手段３４は、測定電流信号１１３に応じて、予め設定された一定時間待機する。一方、アナログ電話機６０側では、Ｓ４０の接続確認回線９４への給電により抵抗成分８２の両端に生じた電位差を、電圧監視部８０に備えられている電圧測定部８４により測定する。電圧測定部８４は、この測定された電圧に基づく、電気信号としての測定電圧信号１２１を通話制御部７０に送る。
【００６０】
アナログ電話機６０の通話制御部７０は、電圧測定部８４からの測定電圧信号１２１に応じて、接続開閉信号１２３を接続開閉部８６に送る。接続開閉部８６は、アナログ電話機６０の電圧監視部８０に、抵抗成分８２と電気的に直列に設けられている。接続開閉部８６は、接続開閉信号１２３により始動し、第１確認線９４ａ及び第２確認線９４ｂの間の接続及び切断を一定間隔でアナログ電話機６０の機種に応じて定められた回数繰り返す。この接続及び切断の繰り返しにより、接続確認回線９４を流れる電流は、接続及び切断の繰り返し回数に応じたパルス数を備えるパルス電流１５３とする。
【００６１】
Ｓ６０では、機種識別手段３４は、電流監視部５４からの測定電流信号１１３に基づき、パルス電流１５３のパルス数を測定する。そのパルス数からアナログ電話機６０の機種識別を行う。アナログ電話機６０の機種識別は、記憶手段４０に読み出し自在に記録されている参照データと、接続開閉手段８６での接続及び切断の繰り返し回数に応じた、パルス数とを比較することで行われる。ここで、パルス電流１５３が観測されなかった場合や、観測されてもそのパルス数が参照データと一致しない場合は、アナログ電話機６０が機種識別を行うことができない機種であると判断し、Ｓ７０の伝送状態の特性を調整することなくＳ８０の通話を行う。
【００６２】
Ｓ７０では、伝送特性調整手段３６により、Ｓ６０で識別されたアナログ電話機の機種に応じて、交換装置２０の伝送インタフェース部４５の電気的特性などの伝送特性を調整し、最良の伝送性能が得られるようにする。これらの調整は、例えば、伝送インタフェース部４５が備える、可変抵抗の抵抗値や可変容量の容量値を変更することで行うことができる。
【００６３】
また、アナログ電話機６０の通話インタフェース部７５が、可変抵抗や可変容量を備えるなど電気的特性などの伝送特性の調整が可能な場合、アナログ電話機６０側でも調整を行うことができる。例えば、交換装置２０の機種に応じて、給電部から与えられる電圧が定められている場合、アナログ電話機６０は、測定電圧信号１２１から、交換装置２０の機種を識別することができる。その識別結果にしたがって、通話インタフェース部７５の可変抵抗や可変容量の値を調整すれば良い。また、交換装置２０の電源監視部５０から接続確認回線９４を介して、通話インタフェース部７５の可変抵抗や可変容量の値を調整するための信号を送っても良い。この信号は、例えば、給電を間欠的に行ったり、給電部が与える電位差を変化させたりするなどして送ることが可能である。
【００６４】
Ｓ８０では、通話回線９２を用いて通話を行う。なお、通話回線９２とは別に接続確認回線９４を設けているので、通話中の任意のタイミングで、電気的特性などの伝送特性を調整することが可能となる。
【００６５】
Ｓ９０では、通話回線接続手段３２により通話回線を切断して、通話を終了するとともに、機種識別手段３４から電源監視部５０に接続確認終了信号１１５を送る。電源監視部５０では、接続確認終了信号１１５を受けて給電を停止し、制御を終了する。
【００６６】
（第１実施形態のアナログ電話回線網における機種認識方法の変形例）
図４及び図５を参照して、アナログ電話機の機種認識方法の変形例について説明する。図４は、交換装置の機種識別処理フローの変形例を示す図である。図５は、アナログ電話回線網の機種識別シーケンスの変形例を示す図である。アナログ電話回線網の構成については、図１を合せて参照する。
【００６７】
Ｓ２５で、アナログ電話機６０を公衆回線網１５に接続されている交換装置２０に、通話回線９２を介して機械的に接続する。
【００６８】
さらに、Ｓ３５で、アナログ電話機６０を公衆回線網１５に接続されている交換装置２０に、第１及び第２確認線９４ａ及び９４ｂを備える接続確認回線９４を介して機械的に接続する。なお、Ｓ２５及びＳ３５の通話回線９２及び接続確認回線９４の接続は、Ｓ３５の接続確認回線９４の接続を行って、その後に、Ｓ２５の通話回線９２の接続を行っても良いし、４線ケーブルを用いて、４線ケーブルのうちの２線を通話回線９２として使用し、残りの２線を接続確認回線９４として使用するような場合は、通話回線９２及び接続確認回線９４の接続が同時に行われても良い。
【００６９】
Ｓ３５で接続確認回線９４の接続が行われると、電源監視部５０に設けられている給電部５２は、接続確認回線９４に給電する。接続確認回線９４への給電は、第１確認線９４ａ及び第２確認線９４ｂの間に電位差を与えることで行う。第１確認線９４ａ及び第２確認線９４ｂはアナログ電話機６０の電圧監視部８０内で、抵抗成分８２により互いに接続されているので、第１確認線９４ａ及び第２確認線９４ｂ、すなわち、接続確認回線９４には、直流電流１５１が流れる。なお、接続確認回線９４への給電は、給電部５２をオン状態としておくことで、接続確認回線９４の接続と共に行われるように設定しておいても良いし、接続確認回線９４の接続後に、接続確認開始信号１１１を電源監視部５０に送るように設定しておいても良い。
【００７０】
Ｓ４０の電流監視から、Ｓ７０の伝送特性調整までの過程は、第１実施形態のアナログ電話回線網における機種認識方法で説明したのと同様なので、ここでは、説明を省略する。
【００７１】
Ｓ８５では、伝送特性調整の終了に応じて、機種識別手段３４から電源監視部５０に接続確認終了信号１１５を送る。電源監視部５０では、接続確認終了信号１１５を受けて給電を停止し、制御を終了する。
【００７２】
Ｓ８５で接続回線の給電停止後、Ｓ９５で、交換装置２０及びアナログ電話機６０は待機状態となり、通常の、アナログ電話機での運用を行う。
【００７３】
なお、この変形例では、アナログ電話機６０が交換装置２０に、通話回線９２及び接続確認回線９４で機械的に接続された際に、機種識別を行えば良く、アナログ電話機６０内でアナログ電話機の機種に応じて定められたパルス数を備えるパルス信号を生成し、このパルス信号を通話回線を介して交換装置２０に送る構成にしても良い。
【００７４】
（第２実施形態のアナログ電話回線網）
第２実施形態のアナログ電話回線網は、図１を参照して説明したアナログ電話回線網と同様の構成であるが、アナログ電話機６０内の抵抗成分８２を、機種に応じた特定の抵抗値に設定しておく点が異なる。この場合、機種識別可能であるか否かの確認に用いる直流電流１５１の電流値を電流監視部５４で測定することにより、アナログ電話機６０の機種識別を行うことができる。
【００７５】
このような構成とすることで、図２及び図３を参照して説明した第１実施形態の機種認識方法に対して、機種識別可能であるか否かの確認に用いた測定電流信号１１３から機種を識別することができ、特にＳ５０及びＳ６０の機種識別を行うための過程を、Ｓ３０及びＳ４０の機種識別が可能であるか否かの確認を行う過程とは別に備える必要がなくなる。
【００７６】
また、アナログ電話機６０の電圧監視部８０は、アナログ電話機６０の機種に応じて定められた、特定の抵抗値に設定された抵抗成分８２で、第１確認線９４ａと第２確認線９４ｂを接続していれば良い。第２実施形態のアナログ電話回線網では、直流電流１５１の電流値に基づいて、アナログ電話機６０の機種を識別することができるので、アナログ電話機６０から、接続確認回線９４の接続及び切断を繰り返すことで、アナログ電話機６０の機種を交換装置２０に伝える必要がない。このため、アナログ電話機６０は、電圧測定部８４及び接続開閉部８６を備えない構成とすることも可能である。つまり、電圧監視部８０として、抵抗成分８２だけ備えていれば良い。
【図面の簡単な説明】
【００７７】
【図１】アナログ電話回線網の構成を示す概略図である。
【図２】第１実施形態の交換装置の処理フローを示す概略図である。
【図３】第１実施形態のアナログ電話回線網の機種識別シーケンスを示す概略図である。
【図４】第１実施形態の交換装置の処理フローの変形例を示す概略図である。
【図５】第１実施形態のアナログ電話回線網の機種識別シーケンスの変形例を示す概略図である。
【符号の説明】
【００７８】
１０    アナログ電話回線網
１５    公衆回線網
２０    交換装置
３０    伝送制御部
３２    通話回線接続手段
３４    機種識別手段
３６    伝送特性調整手段
４０    記憶手段
４５    伝送インタフェース部
５０    電源監視部
５２    給電部
５３    直流電源
５４    電流監視部
６０    アナログ電話機
７０    通話制御部
７５    通話インタフェース部
８０    電圧監視部
８２    抵抗成分
８４    電圧測定部
８６    接続開閉部
９２    通話回線
９４    接続確認回線
９４ａ    第１確認線
９４ｂ    第２確認線
１０１    通話要求
１１１    接続確認開始信号
１１３    測定電流信号
１１５    接続確認終了信号
１２１    測定電圧信号
１２３    接続開閉信号
１５１    直流電流
１５３    パルス電流
【図１】
2005277721.tif 000003
【図２】
2005277721.tif 000004
【図３】
2005277721.tif 000005
【図４】
2005277721.tif 000006
【図５】
2005277721.tif 000007